(57)【要約】  データ信号線の本数を従来よりも削減することによりコストおよび消費電流が低減された表示パネル、それを備えた表示装置およびその駆動方法を提供する。  表示装置の表示部（２００）に含まれる各画素形成部（１０）は、それぞれ異なる色成分の副画素を形成するための３つの副画素形成部（１ｒ，１ｇ，１ｂ）をデータ信号線延伸方向に並べて構成される。データ信号線（３０）は、走査信号線延伸方向前方から奇数番目の副画素形成部垂直列（３）と、走査信号線延伸方向後方に該副画素形成部垂直列（３）と隣接する副画素形成部垂直列（３）との間に１本ずつ配置される。各データ信号線（３０）には、その両側に位置する副画素形成部垂直列（３，３）が接続される。走査信号線（４０）は、副画素形成部のデータ信号線延伸方向両側に１本ずつ配置される。互いに隣接する副画素形成部垂直列（３，３）は、互いに異なる走査信号線（４０）に接続される。
2011152138.tif 000002
【特許請求の範囲】
【請求項１】
所定数の原色に基づくカラー画像を表示するための表示パネルであって、
第１方向に延びる複数のデータ信号線と、
第２方向に延び前記複数のデータ信号線と交差する複数の走査信号線と、
前記複数のデータ信号線および前記複数の走査信号線に沿ってマトリクス状に配置された複数の画素形成部とを備え、
各画素形成部は、前記所定数の原色をそれぞれ示す副画素を形成するための所定数の副画素形成部を前記第１方向に並べて構成され、
各データ信号線は、互いに隣接し前記第１方向に延びる２つの副画素形成部列を１組として前記複数の画素形成部における副画素形成部を組分けすることにより得られる複数組の副画素形成部列のいずれか１つと対応し、かつ、対応する組を構成する２つの副画素形成部列の間に配置され、かつ、当該２つの副画素形成部列に含まれる各副画素形成部に接続され、
前記第２方向に延びる各副画素形成部列は、隣り合う２つの走査信号線を１組として前記複数の走査信号線を組分けすることにより得られる複数組の走査信号線のいずれか１つと対応し、かつ、対応する組を構成する２つの走査信号線の間に配置され、
前記複数組の走査信号線の各組を構成する２つの走査信号線の一方は、当該組に対応する副画素形成部列に含まれる副画素形成部のうち同一データ信号線に接続される２つの副画素形成部の一方に接続され、当該２つの走査信号線の他方は、当該２つの副画素形成部の他方に接続されていることを特徴とする、表示パネル。
【請求項２】
前記カラー画像は３原色に基づくものであり、
各画素形成部は、前記３原色にそれぞれ対応する３つの副画素を形成するための３つの副画素形成部を前記第１方向に並べて構成されていることを特徴とする、請求項１に記載の表示パネル。
【請求項３】
前記所定数の原色に基づくカラー画像を表示する表示装置であって、
請求項１または２に記載の表示パネルと、
前記カラー画像を表す複数のデータ信号を前記複数のデータ信号線にそれぞれ印加するためのデータ信号線駆動回路と、
前記複数の走査信号線を選択的に活性化するための走査信号線駆動回路とを備え、
各副画素形成部は、当該副画素形成部に接続された走査信号線が活性化されているときに、当該副画素形成部に接続されたデータ信号線に印加されたデータ信号を取り込むことを特徴とする、表示装置。
【請求項４】
前記データ信号線駆動回路および前記走査信号線駆動回路のうち少なくとも一方は、前記表示パネル上に前記複数の画素形成部と一体的に形成されていることを特徴とする、請求項３に記載の表示装置。
【請求項５】
各副画素形成部は、
当該副画素形成部に接続された走査信号線が活性化されているか否かに応じてオン状態またはオフ状態となるスイッチング素子と、
前記スイッチング素子を介して前記データ信号線に接続された所定容量とを含み、
前記データ信号線駆動回路は、各データ信号線に、当該データ信号線に接続された副画素形成部がそれぞれ形成すべき副画素を示すデータ信号を順次印加し、
前記走査信号線駆動回路は、各副画素形成部に接続された走査信号線を、当該副画素形成部が形成すべき副画素を示すデータ信号を当該副画素形成部が取り込むべき期間である本充電期間に活性化し、かつ、当該本充電期間に先行し近接する所定期間である予備充電期間において活性化することを特徴とする、請求項３または４に記載の表示装置。
【請求項６】
前記データ信号線駆動回路は、
各副画素形成部に取り込まれるデータ信号の極性を１フレーム期間毎に反転させ、
１フレーム期間内において、前記第２方向に互いに隣接する副画素形成部に取り込まれるデータ信号の極性を互いに同一にし、かつ、前記第２方向に延びる所定数の副画素形成部列ごとに、前記副画素形成部に取り込まれるデータ信号の極性を反転させることを特徴とする、請求項３または４に記載の表示装置。
【請求項７】
前記データ信号線駆動回路は、
各副画素形成部に取り込まれるデータ信号の極性を１フレーム期間毎に反転させ、
１フレーム期間内において、前記第１方向に互いに隣接する副画素形成部に取り込まれるデータ信号の極性を互いに異ならせ、かつ、前記第２方向に互いに隣接する副画素形成部に取り込まれるデータ信号の極性を互いに異ならせることを特徴とする、請求項３または４に記載の表示装置。
【請求項８】
前記データ信号線駆動回路は、
各副画素形成部に取り込まれるデータ信号の極性を１フレーム期間毎に反転させ、
１フレーム期間内において、前記第１方向に互いに隣接する副画素形成部に取り込まれるデータ信号の極性を互いに同一にし、かつ、前記第１方向に延びる所定数の副画素形成部列ごとに、前記副画素形成部に取り込まれるデータ信号の極性を反転させることを特徴とする、請求項３または４に記載の表示装置。
【請求項９】
前記データ信号線駆動回路は、１フレーム期間内において、同一のデータ信号線に接続される副画素形成部に取り込まれるデータ信号の極性を互いに同一とし、かつ、同一のデータ信号線に対応し前記第１方向に延びる２つの副画素形成部列ごとに、前記副画素形成部に取り込まれるデータ信号の極性を反転させることを特徴とする、請求項８に記載の表示装置。
【請求項１０】
各副画素形成部は、当該副画素形成部に接続された走査信号線が活性化されているか否かに応じてオン状態またはオフ状態となるスイッチング素子を含み、
前記スイッチング素子は、アモルファスシリコンで形成された薄膜トランジスタであることを特徴とする、請求項１または２に記載の表示パネル。
【請求項１１】
各副画素形成部は、当該副画素形成部に接続された走査信号線が活性化されているか否かに応じてオン状態またはオフ状態となるスイッチング素子を含み、
前記スイッチング素子は、ポリシリコンで形成された薄膜トランジスタであることを特徴とする、請求項１または２に記載の表示パネル。
【請求項１２】
各副画素形成部は、当該副画素形成部に接続された走査信号線が活性化されているか否かに応じてオン状態またはオフ状態となるスイッチング素子を含み、
前記スイッチング素子は、微結晶シリコンで形成された薄膜トランジスタであることを特徴とする、請求項１または２に記載の表示パネル。
【請求項１３】
各副画素形成部は、当該副画素形成部に接続された走査信号線が活性化されているか否かに応じてオン状態またはオフ状態となるスイッチング素子を含み、
前記スイッチング素子は、酸化インジウムガリウム亜鉛で形成された薄膜トランジスタであることを特徴とする、請求項１または２に記載の表示パネル。
【請求項１４】
第１方向に延びる複数のデータ信号線と、第２方向に延び前記複数のデータ信号線と交差する複数の走査信号線と、前記複数のデータ信号線および前記複数の走査信号線に沿ってマトリクス状に配置された複数の画素形成部とを含む表示パネルを備え、所定数の原色に基づくカラー画像を表示する表示装置の駆動方法であって、
前記カラー画像を表す複数のデータ信号を前記複数のデータ信号線にそれぞれ印加するデータ信号線駆動ステップと、
前記複数の走査信号線を選択的に活性化する走査信号線駆動ステップとを備え、
各画素形成部は、前記所定数の原色をそれぞれ示す副画素を形成するための所定数の副画素形成部を前記第１方向に並べて構成され、
各データ信号線は、互いに隣接し前記第１方向に延びる２つの副画素形成部列を１組として前記複数の画素形成部における副画素形成部を組分けすることにより得られる複数組の副画素形成部列のいずれか１つと対応し、かつ、対応する組を構成する２つの副画素形成部列の間に配置され、かつ、当該２つの副画素形成部列に含まれる各副画素形成部に接続され、
前記第２方向に延びる各副画素形成部列は、隣り合う２つの走査信号線を１組として前記複数の走査信号線を組分けすることにより得られる複数組の走査信号線のいずれか１つと対応し、かつ、対応する組を構成する２つの走査信号線の間に配置され、
前記複数組の走査信号線の各組を構成する２つの走査信号線の一方は、当該組に対応する副画素形成部列に含まれる副画素形成部のうち同一データ信号線に接続される２つの副画素形成部の一方に接続され、当該２つの走査信号線の他方は、当該２つの副画素形成部の他方に接続され、
各副画素形成部は、当該副画素形成部に接続された走査信号線が活性化されているときに、当該副画素形成部に接続されたデータ信号線に印加されたデータ信号を取り込むことを特徴とする、駆動方法。
【請求項１５】
前記走査信号線駆動ステップでは、前記複数の走査信号線が順次に活性化され、
前記データ信号線駆動ステップでは、各データ信号線に対し、対応する２つの副画素形成部列の一方に含まれる副画素形成部が形成すべき副画素を示すデータ信号と、当該対応する２つの副画素形成部列の他方に含まれる副画素形成部が形成すべき副画素を示すデータ信号とが、前記複数の走査信号線の活性化に連動して交互に印加されることを特徴とする、請求項１４に記載の駆動方法。
【発明の詳細な説明】
【技術分野】
【０００１】
本発明は、アクティブマトリクス型の表示パネル、それを備えた表示装置、およびその駆動方法に関する。
【背景技術】
【０００２】
一般に、アクティブマトリクス型表示装置における表示パネルの表示部は、マトリクス状に配置された画素形成部により構成されている。この画素形成部は、複数の副画素形成部を有する。例えば、Ｒ（赤）、Ｇ（緑）およびＢ（青）の３原色に基づくカラー画像を表示するアクティブマトリクス型表示装置においては、従来、Ｒ、ＧおよびＢの３つの副画素を形成するための３つの副画素形成部を走査信号線が伸びる方向に並べて１つの画素形成部が構成されている。図１８は、このような従来のアクティブマトリクス型表示装置の主要部の電気的構成を示す模式図である。この表示装置は、表示部２００とデータ信号線駆動回路１３０と走査信号線駆動回路１４０を備えている。表示部２００には、複数のデータ信号線３０と、当該複数のデータ信号線３０に交差する複数の走査信号線４０とが形成されており、Ｒ、ＧおよびＢの３つの副画素を形成するための３つの副画素形成部からなる画素形成部１０が上記複数のデータ信号線および当該複数の走査信号線に沿ってマトリクス状に配置されている。上記複数のデータ信号線３０はデータ信号線駆動回路１３０に接続され、上記複数の走査信号線４０は走査信号線駆動回路１４０に接続されている。【０００３】
このような従来のアクティブマトリクス型表示装置では、走査信号線が伸びる方向の画素形成部数をｍ、データ信号線が伸びる方向の画素形成部数をｎとすると、３×ｍ本のデータ信号線とｎ本の走査信号線とが必要であった。以下では、走査信号線が伸びる方向を「走査信号線延伸方向」、データ信号線が伸びる方向を「データ信号線延伸方向」という。また、走査信号線駆動回路に走査信号線が接続されている方向を走査信号線延伸方向の前方、その反対方向を後方とする。同様に、データ信号線駆動回路にデータ信号線が接続されている方向をデータ信号線延伸方向の前方、その反対方向を後方とする。【０００４】
図１８に示すように、一般に、アクティブマトリクス型の表示装置は、データ信号駆動回路および走査信号線駆動回路を備える。データ信号線駆動回路は、走査信号線駆動回路に比べて回路量が多い。そのため、データ信号線駆動回路のコストは、走査信号線駆動回路のものに比べて高い。データ信号線の本数が増えるとさらに回路量が増えるため、データ信号線駆動回路のコストがさらに高くなると同時に消費電流が大きくなる。すなわち、データ信号線の本数が増えると、表示装置全体のコストおよび消費電流の増大を招く。このデータ信号線の本数は、画素形成部数に比例して増えるため、表示装置の大型化が進む近年においては、上記の問題は深刻なものとなる。【０００５】
上記問題に対して、副画素形成部をデータ信号線延伸方向にＲ（赤）、Ｇ（緑）、Ｂ（青）の順に並べて１つの画素形成部を構成する表示装置が知られている（例えば特許文献１を参照）。また、走査信号線延伸方向に隣接する副画素形成部が、１つのデータ信号線を共有する表示装置が知られている（例えば特許文献２を参照）。さらに、走査信号線駆動回路を２つ設ける表示装置が知られている（例えば特許文献３を参照）。これらの表示装置によれば、上記のアクティブマトリクス型の表示装置に比べ、データ信号線の数を減らすことができる。
【先行技術文献】
【特許文献】
【０００６】
【特許文献１】日本の特開２００７−１４８２４０号公報
【特許文献２】米国特許５１５１６８９号明細書
【特許文献３】米国特許７３８５５７６号明細書
【発明の概要】
【発明が解決しようとする課題】
【０００７】
しかし、特許文献１および特許文献２に記載されている表示装置の構成では、データ信号線の本数をｍ本までにしか削減することができない。また、特許文献３に記載されている表示装置の構成では、データ信号線の本数を（３／２）×ｍ本までにしか削減することができない。表示装置のコストおよび消費電流をさらに低減するためには、データ信号線の本数をさらに削減する必要がある。【０００８】
そこで、本発明は、データ信号線の本数を従来よりも削減することによりコストおよび消費電流が低減されたアクティブマトリクス型の表示パネル、それを備えた表示装置、およびその駆動方法を提供することを目的とする。
【課題を解決するための手段】
【０００９】
本発明の第１の局面は、所定数の原色に基づくカラー画像を表示するための表示パネルであって、
第１方向に延びる複数のデータ信号線と、
第２方向に延び前記複数のデータ信号線と交差する複数の走査信号線と、
前記複数のデータ信号線および前記複数の走査信号線に沿ってマトリクス状に配置された複数の画素形成部とを備え、
各画素形成部は、前記所定数の原色をそれぞれ示す副画素を形成するための所定数の副画素形成部を前記第１方向に並べて構成され、
各データ信号線は、互いに隣接し前記第１方向に延びる２つの副画素形成部列を１組として前記複数の画素形成部における副画素形成部を組分けすることにより得られる複数組の副画素形成部列のいずれか１つと対応し、かつ、対応する組を構成する２つの副画素形成部列の間に配置され、かつ、当該２つの副画素形成部列に含まれる各副画素形成部に接続され、
前記第２方向に延びる各副画素形成部列は、隣り合う２つの走査信号線を１組として前記複数の走査信号線を組分けすることにより得られる複数組の走査信号線のいずれか１つと対応し、かつ、対応する組を構成する２つの走査信号線の間に配置され、
前記複数組の走査信号線の各組を構成する２つの走査信号線の一方は、当該組に対応する副画素形成部列に含まれる副画素形成部のうち同一データ信号線に接続される２つの副画素形成部の一方に接続され、当該２つの走査信号線の他方は、当該２つの副画素形成部の他方に接続されていることを特徴とする。【００１０】
本発明の第２の局面は、本発明の第１の局面において、
前記カラー画像は３原色に基づくものであり、
各画素形成部は、前記３原色にそれぞれ対応する３つの副画素を形成するための３つの副画素形成部を前記第１方向に並べて構成されていることを特徴とする。【００１１】
本発明の第３の局面は、前記所定数の原色に基づくカラー画像を表示する表示装置であって、
本発明の第１の局面または第２の局面に係る表示パネルと、
前記カラー画像を表す複数のデータ信号を前記複数のデータ信号線にそれぞれ印加するためのデータ信号線駆動回路と、
前記複数の走査信号線を選択的に活性化するための走査信号線駆動回路とを備え、
各副画素形成部は、当該副画素形成部に接続された走査信号線が活性化されているときに、当該副画素形成部に接続されたデータ信号線に印加されたデータ信号を取り込むことを特徴とする。【００１２】
本発明の第４の局面は、本発明の第３の局面において、
前記データ信号線駆動回路および前記走査信号線駆動回路のうち少なくとも一方は、前記表示パネル上に前記複数の画素形成部と一体的に形成されていることを特徴とする。【００１３】
本発明の第５の局面は、本発明の第３の局面または第４の局面において、
各副画素形成部は、
当該副画素形成部に接続された走査信号線が活性化されているか否かに応じてオン状態またはオフ状態となるスイッチング素子と、
前記スイッチング素子を介して前記データ信号線に接続された所定容量とを含み、
前記データ信号線駆動回路は、各データ信号線に、当該データ信号線に接続された副画素形成部がそれぞれ形成すべき副画素を示すデータ信号を順次印加し、
前記走査信号線駆動回路は、各副画素形成部に接続された走査信号線を、当該副画素形成部が形成すべき副画素を示すデータ信号を当該副画素形成部が取り込むべき期間である本充電期間に活性化し、かつ、当該本充電期間に先行し近接する所定期間である予備充電期間において活性化することを特徴とする。【００１４】
本発明の第６の局面は、本発明の第３の局面または第４の局面において、
前記データ信号線駆動回路は、
各副画素形成部に取り込まれるデータ信号の極性を１フレーム期間毎に反転させ、
１フレーム期間内において、前記第２方向に互いに隣接する副画素形成部に取り込まれるデータ信号の極性を互いに同一にし、かつ、前記第２方向に延びる所定数の副画素形成部列ごとに、前記副画素形成部に取り込まれるデータ信号の極性を反転させることを特徴とする。【００１５】
本発明の第７の局面は、本発明の第３の局面または第４の局面において、
前記データ信号線駆動回路は、
各副画素形成部に取り込まれるデータ信号の極性を１フレーム期間毎に反転させ、
１フレーム期間内において、前記第１方向に互いに隣接する副画素形成部に取り込まれるデータ信号の極性を互いに異ならせ、かつ、前記第２方向に互いに隣接する副画素形成部に取り込まれるデータ信号の極性を互いに異ならせることを特徴とする。【００１６】
本発明の第８の局面は、本発明の第３の局面または第４の局面において、
前記データ信号線駆動回路は、
各副画素形成部に取り込まれるデータ信号の極性を１フレーム期間毎に反転させ、
１フレーム期間内において、前記第１方向に互いに隣接する副画素形成部に取り込まれるデータ信号の極性を互いに同一にし、かつ、前記第１方向に延びる所定数の副画素形成部列ごとに、前記副画素形成部に取り込まれるデータ信号の極性を反転させることを特徴とする。【００１７】
本発明の第９の局面は、本発明の第８の局面において、
前記データ信号線駆動回路は、１フレーム期間内において、同一のデータ信号線に接続される副画素形成部に取り込まれるデータ信号の極性を互いに同一とし、かつ、同一のデータ信号線に対応し前記第１方向に延びる２つの副画素形成部列ごとに、前記副画素形成部に取り込まれるデータ信号の極性を反転させることを特徴とする。【００１８】
本発明の第１０の局面は、本発明の第１の局面または第２の局面において、
各副画素形成部は、当該副画素形成部に接続された走査信号線が活性化されているか否かに応じてオン状態またはオフ状態となるスイッチング素子を含み、
前記スイッチング素子は、アモルファスシリコンで形成された薄膜トランジスタであることを特徴とする。【００１９】
本発明の第１１の局面は、本発明の第１の局面または第２の局面において、
各副画素形成部は、当該副画素形成部に接続された走査信号線が活性化されているか否かに応じてオン状態またはオフ状態となるスイッチング素子を含み、
前記スイッチング素子は、ポリシリコンで形成された薄膜トランジスタであることを特徴とする。【００２０】
本発明の第１２の局面は、本発明の第１の局面または第２の局面において、
各副画素形成部は、当該副画素形成部に接続された走査信号線が活性化されているか否かに応じてオン状態またはオフ状態となるスイッチング素子を含み、
前記スイッチング素子は、微結晶シリコンで形成された薄膜トランジスタであることを特徴とする。【００２１】
本発明の第１３の局面は、本発明の第１の局面または第２の局面において、
各副画素形成部は、当該副画素形成部に接続された走査信号線が活性化されているか否かに応じてオン状態またはオフ状態となるスイッチング素子を含み、
前記スイッチング素子は、酸化インジウムガリウム亜鉛で形成された薄膜トランジスタであることを特徴とする。【００２２】
本発明の第１４の局面は、第１方向に延びる複数のデータ信号線と、第２方向に延び前記複数のデータ信号線と交差する複数の走査信号線と、前記複数のデータ信号線および前記複数の走査信号線に沿ってマトリクス状に配置された複数の画素形成部とを含む表示パネルを備え、所定数の原色に基づくカラー画像を表示する表示装置の駆動方法であって、
前記カラー画像を表す複数のデータ信号を前記複数のデータ信号線にそれぞれ印加するデータ信号線駆動ステップと、
前記複数の走査信号線を選択的に活性化する走査信号線駆動ステップとを備え、
各画素形成部は、前記所定数の原色をそれぞれ示す副画素を形成するための所定数の副画素形成部を前記第１方向に並べて構成され、
各データ信号線は、互いに隣接し前記第１方向に延びる２つの副画素形成部列を１組として前記複数の画素形成部における副画素形成部を組分けすることにより得られる複数組の副画素形成部列のいずれか１つと対応し、かつ、対応する組を構成する２つの副画素形成部列の間に配置され、かつ、当該２つの副画素形成部列に含まれる各副画素形成部に接続され、
前記第２方向に延びる各副画素形成部列は、隣り合う２つの走査信号線を１組として前記複数の走査信号線を組分けすることにより得られる複数組の走査信号線のいずれか１つと対応し、かつ、対応する組を構成する２つの走査信号線の間に配置され、
前記複数組の走査信号線の各組を構成する２つの走査信号線の一方は、当該組に対応する副画素形成部列に含まれる副画素形成部のうち同一データ信号線に接続される２つの副画素形成部の一方に接続され、当該２つの走査信号線の他方は、当該２つの副画素形成部の他方に接続され、
各副画素形成部は、当該副画素形成部に接続された走査信号線が活性化されているときに、当該副画素形成部に接続されたデータ信号線に印加されたデータ信号を取り込むことを特徴とする。【００２３】
本発明の第１５の局面は、本発明の第１４の局面において、
前記走査信号線駆動ステップでは、前記複数の走査信号線が順次に活性化され、
前記データ信号線駆動ステップでは、各データ信号線に対し、対応する２つの副画素形成部列の一方に含まれる副画素形成部が形成すべき副画素を示すデータ信号と、当該対応する２つの副画素形成部列の他方に含まれる副画素形成部が形成すべき副画素を示すデータ信号とが、前記複数の走査信号線の活性化に連動して交互に印加されることを特徴とする。
【発明の効果】
【００２４】
本発明の第１の局面、第３の局面、第１０から第１３の局面、または第１４の局面のいずれによっても、データ信号線の本数が、第２方向である走査信号線延伸方向の画素形成部数よりも少なくなる。これにより、データ信号線駆動回路の回路量が減少するので、データ信号線駆動回路のコストおよび消費電流を低減することができる。そのため、表示装置全体のコストおよび消費電流を低減することができる。【００２５】
本発明の第２の局面によれば、各画素形成部は、３原色を構成するそれぞれ異なる色成分を示す副画素を形成するための３つの副画素形成部を第１方向であるデータ信号線延伸方向に並べて構成される。これにより、広く普及している３原色に基づくカラー画像表示においてこのような構成を採用することで、表示装置のコストをさらに低減しつつ、本発明の第１の局面と同様の効果を奏することができる。【００２６】
本発明の第４の局面によれば、データ信号線駆動回路と走査信号線駆動回路とのうち少なくとも１つと、複数の画素形成部とが、表示パネル上に一体的に形成される。これにより、額縁面積を低減しつつ、本発明の第１の局面と同様の効果を奏することができる。【００２７】
本発明の第５の局面によれば、各副画素形成部が形成すべき副画素を示すデータ信号で当該副画素形成部における所定容量が充電される前に、時間的に近接したデータ信号で当該所定容量が予備的に充電される。各副画素形成部におけるこのようなプリチャージ動作により、１つのデータ信号線に接続される副画素形成部の個数の増大による充電不足が防止される。したがって、上記所定容量の充電不足による表示品質の低下を抑えつつ、本発明の第１の局面と同様の効果を奏することができる。【００２８】
本発明の第６の局面によれば、１フレーム期間内において各副画素形成部に取り込まれるデータ信号の極性を第２方向である走査信号線延伸方向に延びる所定数の副画素形成部列ごとに反転させるライン反転が行われる。これにより、液晶表示装置のような反転駆動が必要な表示装置において、表示品質の劣化を抑制しつつ、本発明の第１の局面と同様の効果を奏することができる。【００２９】
本発明の第７の局面によれば、１フレーム期間内において各副画素形成部に取り込まれるデータ信号の極性を１副画素形成部ごとに反転させるドット反転が行われる。これにより、液晶表示装置のような反転駆動が必要な表示装置において、表示品質の劣化をさらに抑制しつつ、本発明の第１の局面と同様の効果を奏することができる。【００３０】
本発明の第８の局面によれば、１フレーム期間内において各副画素形成部に取り込まれるデータ信号の極性を第１方向であるデータ信号線延伸方向に延びる所定数の副画素形成部列ごとに反転させるカラム反転が行われる。これにより、液晶表示装置のような反転駆動が必要な表示装置において、表示品質の劣化を抑制しつつ、本発明の第１の局面と同様の効果を奏することができる。【００３１】
本発明の第９の局面によれば、１フレーム期間内において各副画素形成部に取り込まれるデータ信号の極性を第１方向であるデータ信号線延伸方向に延びる２つの副画形成部列ごとに反転させるカラム反転が行われる。これにより、液晶表示装置のような反転駆動が必要な表示装置において、表示品質の劣化を抑制しつつ、本発明の第１の局面と同様の効果を奏することができる。また、１フレーム期間内において、同一データ信号線に接続された副画素形成部に取り込まれるデータ信号の極性は互いに同一であるので、他のライン反転駆動の場合に比べ、データ信号の極性反転の周期が長くなり、消費電力が低減される。
【図面の簡単な説明】
【００３２】
【図１】本発明の第１の実施形態に係る液晶表示装置の電気的構成を示す模式図である。
【図２】上記第１の実施形態における薄膜トランジスタの配置の他の例を示す模式図である。
【図３】上記第１の実施形態における副画素形成部の等価回路を示す回路図である。
【図４】上記第１の実施形態における動作を示すタイミングチャートである。
【図５】上記第１の実施形態における液晶パネル上の構成を示す概略図である。
【図６】上記第１の実施形態における液晶パネル上の構成の他の例を示す概略図である。
【図７】上記第１の実施形態における液晶パネル上の構成のさらなる他の例を示す概略図である。
【図８】上記第１の実施形態における液晶パネル上の構成のまたさらなる他の例を示す概略図である。
【図９】（Ａ）〜（Ｃ）は、上記第１の実施形態における反転駆動を示す概略図である。
【図１０】上記第１の実施形態における反転駆動を示すタイミングチャートである。
【図１１】（Ａ）〜（Ｃ）は、上記第１の実施形態に係る第１の変形例における反転駆動を示す概略図である。
【図１２】上記第１の実施形態に係る第１の変形例における反転駆動を示すタイミングチャートである。
【図１３】（Ａ）〜（Ｃ）は、上記第１の実施形態に係る第２の変形例における反転駆動を示す概略図である。
【図１４】上記第１の実施形態に係る第２の変形例における反転駆動を示すタイミングチャートである。
【図１５】（Ａ）〜（Ｃ）は、本発明の第２の実施形態における反転駆動を示す概略図である。
【図１６】上記第２の実施形態におけるプリチャージ動作を説明するためのタイミングチャートである。
【図１７】上記第２の実施形態の変形例におけるプリチャージ動作を説明するためのタイミングチャートである。
【図１８】従来の表示装置の電気的構成を示す模式図である。
【発明を実施するための形態】
【００３３】
以下、添付図面を参照しながら、本発明の実施形態について説明する。
＜１．第１の実施形態＞
＜１．１  全体の構成＞
図１は、本発明の第１の実施形態に係る液晶表示装置の電気的構成を示す模式図である。この液晶表示装置は、表示パネルとしての液晶パネル３００と、データ信号線駆動回路としてのソースドライバ１３０と、走査信号線駆動回路としてのゲートドライバ１４０とを備えている。ソースドライバ１３０とゲートドライバ１４０とは、表示制御回路４００に接続されている。表示制御回路４００には、カラー画像を表示するための画像信号ＤＶおよびタイミング制御信号ＴＳが装置外部から入力される。液晶パネル３００には、ソースドライバ１３０に接続された複数のデータ信号線３０とゲートドライバ１４０に接続された複数の走査信号線４０とが含まれている。複数のデータ信号線３０と複数の走査信号線４０とは交差して配置されている。また、液晶パネル３００には、複数のデータ信号線３０と複数の走査信号線４０とに沿ってマトリクス状に配置された複数の画素形成部１０が含まれている。本実施形態では、図５に示すように、液晶パネル３００に含まれる当該複数の画素形成部１０と上記複数のデータ信号線３０と上記複数の走査信号線とにより表示部２００が実現されており、ソースドライバ１３０およびゲートドライバ１４０は、液晶パネル３００とは別部品であるＩＣ（Integrated Circuit）として実現されている。しかし、この図５に示す構成に代えて、液晶パネル３００を所謂ドライバモノリシック型のパネルとしてもよい。すなわち、図６に示すように、液晶パネル３００上に表示部２００とゲートドライバ１４０とを薄膜トランジスタ等を用いて一体的に形成してもよい。さらに、図７に示すように、液晶パネル３００上に表示部２００とソースドライバ１３０とを薄膜トランジスタ等を用いて一体的に形成してもよい。さらにまた、図８に示すように、液晶パネル３００上に表示部２００とゲートドライバ１４０とソースドライバ１３０とを薄膜トランジスタ等を用いて一体的に形成してもよい。
【００３４】
本実施形態に係る液晶表示装置は、３原色に基づいてカラー画像を表示するように構成されている。すなわち、各画素形成部１０には、第１の色成分を示す副画素形成部１ｒと、第２の色成分を示す副画素形成部１ｇと、第３の色成分を示す副画素形成部１ｂとが含まれている。したがって、本実施形態において表示されるカラー画像を構成する各画素は、これら３つの副画素形成部１ｒ，１ｇ，１ｂによってそれぞれ形成される第１、第２および第３の色成分の副画素からなる。本実施形態では、第１の色成分には赤（Ｒ）、第２の色成分には緑（Ｇ）、そして第３の色成分には青（Ｂ）が採用されている。各画素形成部１０は、３原色を構成するそれぞれ異なる色成分を示す副画素形成部１ｒと、副画素形成部１ｇと、副画素形成部１ｂとをデータ信号線延伸方向並べて構成されている。なお、色成分には他の色を採用してもよい。また、３原色に限らず、４原色（例えば、赤、緑、青および黄）に基づいてカラー画像を表示するような構成を採用してもよい。以下において、３種類の副画素形成部１ｒ，１ｇ，１ｂを区別しないで副画素形成部に言及する場合には、当該副画素形成部につき参照符号“１ｘ”を使用するものとする。
【００３５】
各副画素形成部１ｘは、画素電極とスイッチング素子としての薄膜トランジスタ（以下「ＴＦＴ」と略記する）２０とを含んでいる。ここで図１に示すように、表示部２００においてマトリクス状に配置された画素形成部のうち第ｉ行第ｊ列の画素形成部（ｉ番目の画素形成部水平列およびｊ番目の画素形成部垂直列の双方に含まれる画素形成部）を構成する３つの副画素形成部１ｒ，１ｇ、１ｂにそれぞれ含まれる画素電極を参照符号“Ｒｉｊ”、“Ｇｉｊ”、“Ｂｉｊ”でそれぞれ示すものとする。各副画素形成部１ｘにおけるＴＦＴ２０は、それに接続された走査信号線４０に印加される走査信号に応じてオン状態またはオフ状態となり、当該副画素形成部１ｘにおける画素電極Ｘｉｊは、そのＴＦＴ２０を介してデータ信号線３０に接続されている（Ｘ＝Ｒ，Ｇ，Ｂ）。なお以下では、ＴＦＴ２０は、そのゲート端子に与えられる走査信号Ｇａｉがハイレベル（Ｈレベル）のときにオン状態となり、ローレベル（Ｌレベル）のときにオフ状態になるものとする。また、液晶パネル３００では、表示部２００における全ての副画素形成部１ｘに共通に共通電極が設けられており、各副画素形成部１ｘにおける画素電極Ｘｉｊは液晶層を介して当該共通電極と対向し、画素電極Ｘｉｊと当該共通電極とにより画素容量が形成されている。この画素容量は、当該副画素形成部１ｘによって形成されるべき副画素の値に相当する電圧を保持するためのものである。以上より、副画素形成部１ｘの等価回路は、図３に示すような構成となっている。図３において、参照符号“Ｃｐ”、“Ｅｐ”および“Ｅｃ”は、画素容量、画素電極、および共通電極をそれぞれ示している。
【００３６】
なお、本説明において、データ信号線延伸方向に１列に並んだ副画素形成部を「副画素形成部垂直列」という。また、走査信号線延伸方向に１列に並んだ副画素形成部を「副画素形成部水平列」という。
【００３７】
データ信号線３０は、走査信号線延伸方向前方から奇数番目の副画素形成部垂直列３と、走査信号線延伸方向後方に当該副画素形成部垂直列３と隣接する副画素形成部垂直列３との間に１本ずつ配置されている。図１においてデータ信号Ｄ１が印加されるデータ信号線３０に注目すると、当該データ信号線３０は、走査信号線延伸方向前方から１番目の、画素電極Ｒ１１，Ｇ１１，Ｂ１１，Ｒ２１…を含む副画素形成部垂直列３と、走査信号線延伸方向後方に当該副画素形成部垂直列３と隣接し画素電極Ｒ１２，Ｇ１２，Ｂ１２，Ｒ２２…を含む副画素形成部垂直列３との間に配置されている。また、各データ信号線３０には、当該データ信号線３０の走査信号線延伸方向両側に位置する副画素形成部垂直列３がそれぞれ接続されている。図１においてデータ信号Ｄ１が印加されるデータ信号線３０に注目すると、当該データ信号線３０には、当該データ信号線３０の走査信号線延伸方向両側に位置する、画素電極Ｒ１１，Ｇ１１，Ｂ１１，Ｒ２１…を含む副画素形成部垂直列３と、画素電極Ｒ１２，Ｇ１２，Ｂ１２，Ｒ２２…を含む副画素形成部垂直列３とが接続されている。
【００３８】
このようにして本実施形態では、各データ信号線３０は、互いに隣接する２つの副画素形成部垂直列３，３を１組として表示部２００における副画素形成部を組分けすることにより得られる複数組の副画素形成部垂直列３，３のいずれか１つと対応し、かつ、対応する組を構成する２つの副画素形成部垂直列３，３の間に配置され、かつ、当該２つの副画素形成部垂直列３，３に含まれる各副画素形成部１ｘに接続されている。
【００３９】
走査信号線４０は、各副画素形成部水平列のデータ信号線延伸方向両側に１本ずつ配置されている。図１において、画素電極Ｒ１１，Ｒ１２，Ｒ１３，Ｒ１４…を含む副画素形成部水平列４に注目すると、当該副画素形成部水平列４のデータ信号線延伸方向両側に、走査信号Ｇａ１が印加される走査信号線４０と、走査信号Ｇａ２が印加される走査信号線４０とがぞれぞれ配置されている。また、互いに隣接する副画素形成部垂直列３，３は、互いに異なる走査信号線４０に接続されている。すなわち、図１に示すように、例えば走査信号線延伸方向前方から１番目の副画素形成部垂直列３を構成する副画素形成部（画素電極Ｒ１１，Ｇ１１，Ｂ１１，Ｒ２１，Ｇ２１，…をそれぞれ含む副画素形成部）１ｘは、走査信号Ｇａ１，Ｇａ３，Ｇａ５，Ｇａ７，Ｇａ９，…が印加される奇数番目の走査信号線４０にそれぞれ接続されている。また、例えば走査信号線延伸方向前方から２番目の副画素形成部垂直列３を構成する副画素形成部（画素電極Ｒ１２，Ｇ１２，Ｂ１２，Ｒ２２，…をそれぞれ含む副画素形成部）１ｘは、走査信号Ｇａ２，Ｇａ４，Ｇａ６，Ｇａ８，Ｇａ１０，…が印加される偶数番目の走査信号線４０にそれぞれ接続されている。
【００４０】
このようにして本実施形態では、各副画素形成部水平列４は、隣り合う２つの走査信号線（奇数番目の走査信号線と偶数番目の走査信号線）４０，４０を１組として表示部２００における走査信号線を組分けすることにより得られる複数組の走査信号線４０のいずれか１つと対応し、かつ、対応する組を構成する２つの走査信号線４０，４０の間に配置されている。そして、奇数番目の副画素形成部垂直列３を構成する各副画素形成部１ｘは、奇数番目の走査信号線４０に接続され、偶数番目の副画素形成部垂直列３を構成する各副画素形成部１ｘは、偶数番目の走査信号線４０に接続されている。したがって、上記複数組の走査信号線の各組を構成する２つの走査信号線４０，４０の一方は、当該組に対応する副画素形成部水平列４に含まれる副画素形成部１ｘのうち同一データ信号線に接続される２つの副画素形成部１ｘの一方に接続され、当該２つの走査信号線４０，４０の他方は、当該２つの副画素形成部１ｘの他方に接続されることになる。
【００４１】
なお、本実施形態では、副画素形成部をデータ信号線延伸方向の前からＲ、Ｇ、Ｂの順に配置したが、Ｂ、Ｇ、Ｒなど他の順序を採用してもよい。また、ＴＦＴ２０は、図１に示す配置に代えて、図２に示すように配置してもよい。すなわち、奇数番目の副画素形成部垂直列３を構成する各副画素形成部１ｘが、偶数番目の走査信号線４０に接続され、偶数番目の副画素形成部垂直列３を構成する各副画素形成部１ｘが、奇数番目の走査信号線４０に接続されるように、ＴＦＴ２０を配置してもよい。
【００４２】
＜１．２  動作＞
次に、本実施形態に係る液晶表示装置の動作について説明する。以下では、説明の便宜上、必要に応じて、画素電極Ｘｉｊを含む副画素形成部を参照符号“１ｘ”に代えて“Ｘｉｊ”で示すものとする（Ｘ＝Ｒ，Ｇ，Ｂ；ｉ＝１，２，…；ｊ＝１，２，…）（本実施形態の変形例や他の実施形態の説明においても同様）。
【００４３】
図４は、図１に示す本実施形態に係る液晶表示装置の動作を示すタイミングチャートである。表示部２００における各データ信号線３０には、副画素形成部Ｘｉｊの配置に応じたデータ信号Ｄｋがソースドライバ１３０から印加される。データ信号Ｄｋを対応する副画素形成部Ｘｉｊが取り込むタイミングを示す走査信号が、ゲートドライバ１４０から走査信号線４０に印加される。例えば、走査信号Ｇａ１をＨレベルにすることで１番目の走査信号線４０を活性化状態にすると、副画素形成部Ｒ１１のＴＦＴ２０と、副画素形成部Ｒ１３のＴＦＴ２０とがオン状態になる。この場合、データ信号Ｄ１を取り込むのは副画素形成部Ｒ１１であり、データ信号Ｄ２を取り込むのは副画素形成部Ｒ１３である。次に、走査信号Ｇａ２をＨレベルにすることで２番目の走査信号線４０を活性化状態にすると、副画素形成部Ｒ１２のＴＦＴ２０と、副画素形成部Ｒ１４のＴＦＴ２０とがオン状態になる。この場合、データ信号Ｄ１を取り込むのは副画素形成部Ｒ１２であり、データ信号Ｄ２を取り込むのは副画素形成部Ｒ１４である。このように、副画素形成部Ｘｉｊに対応するデータ信号が、走査信号ＧａｉのＨレベルすなわち走査信号線４０の活性化状態に合わせて、副画素形成部Ｘｉｊに取り込まれる。
【００４４】
ソースドライバ１３０は、上記のような副画素形成部Ｘｉｊによるデータ信号Ｄｋの取り込みにより表示部２００にカラー画像が表示されるように各データ信号線３０にデータ信号Ｄｋを印加する。すなわち、ソースドライバ１３０は、各データ信号線３０に対し、それに対応する２つの副画素形成部垂直列３，３の一方に含まれる副画素形成部Ｘｉｊが形成すべき副画素を示すデータ信号と、当該２つの副画素形成部垂直列３，３の他方に含まれる副画素形成部Ｘｉｊが形成すべき副画素を示すデータ信号とを、表示部２００における走査信号線の活性化に連動して交互に印加する。例えば１番目のデータ信号線３０に対しては、ソースドライバ１３０は、図４に示すように、表示部２００における走査信号線４０の順次的な活性化に連動して、１番目の副画素形成部垂直列３における１番目の副画素形成部Ｒ１１が形成すべき副画素を示すデータ信号、２番目の副画素形成部垂直列３における１番目の副画素形成部Ｒ１２が形成すべき副画素を示すデータ信号、１番目の副画素形成部垂直列３における２番目の副画素形成部Ｇ１１が形成すべき副画素を示すデータ信号、２番目の副画素形成部垂直列３における２番目の副画素形成部Ｇ１２が形成すべき副画素を示すデータ信号、……を、順にデータ信号Ｄ１として印加する。
【００４５】
図９（Ａ）〜図９（Ｃ）は、本実施形態に係る液晶表示装置の反転駆動方法を示す遷移図である。図９（Ａ）、図９（Ｂ）および図９（Ｃ）は、それぞれ第ｎフレーム、第ｎ＋１フレームおよび第ｎ＋２フレームにおける副画素形成部Ｘｉｊに取り込まれるデータ信号Ｄｋの極性を示す。マトリクス中の各要素は副画素形成部Ｘｉｊに対応する。本実施形態におけるソースドライバ１３０は、各副画素形成部Ｘｉｊに取り込まれるデータ信号Ｄｋの極性を１フレーム期間毎に反転させている。また、１フレーム期間内において、走査信号線延伸方向に互いに隣接する副画素形成部に取り込まれるデータ信号の極性を互いに同一にしている。さらに、１フレーム期間内において、１つの副画素形成部水平列４ごとに、副画素形成部に取り込まれるデータ信号の極性を反転させている。例えば副画素形成部Ｇ１２に注目すると、図９（Ａ）に示すフレームでは極性が“−”であり、図９（Ｂ）に示す次のフレームでは極性が“＋”となり、図９（Ｃ）に示すさらに次のフレームでは極性が“−”となっている。また、図９（Ａ）に示すフレームにおける副画素形成部Ｇ１２に注目すると、この副画素形成部Ｇ１２に取り込まれるデータ信号Ｄｋの極性と、副画素形成部Ｇ１２と走査信号線延伸方向に隣接する副画素形成部Ｇ１１およびＧ１３に取り込まれるデータ信号Ｄｋの極性とが“−”である。さらに、図９（Ａ）に示すフレームにおける副画素形成部水平列４ａに注目すると、副画素形成部水平列４ａに取り込まれるデータ信号の極性は“＋”であり、副画素形成部水平列４ａに隣接する副画素形成部水平列４ｂに取り込まれるデータ信号の極性は、反転されて“−”になっており、副画素形成部水平列４ｂに隣接する副画素形成部水平列４ｃに取り込まれるデータ信号の極性は、また反転されて“＋”になっている。なお、本実施形態では、１フレーム期間内において、取り込まれるデータ信号の極性を反転させる副画素形成部水平列の間隔を１列ごとにしたが、２列ごとや３列ごとにしてもよい。
【００４６】
図１０は、図９に係る反転駆動方法を説明するためのタイミングチャートである。まず第ｎフレーム期間Ｆ（ｎ）では、データ信号Ｄ１およびＤ２の極性は、“＋、＋、−、−、＋、−、…”の順となっている。また、第ｎ＋１フレーム期間Ｆ（ｎ＋１）では、データ信号Ｄ１およびＤ２の極性は、Ｆ（ｎ）における極性を反転した“−、−、＋、＋、−、−、…”の順となる。さらに、第ｎ＋２フレーム期間Ｆ（ｎ＋２）では、データ信号Ｄ１およびＤ２の極性は、Ｆ（ｎ＋１）における極性を反転した“＋、＋、−、−、＋、＋、…”の順となる。
【００４７】
本実施形態では、１水平走査期間（１Ｈ期間）内に、各データ信号線３０から２つの画素形成部１０（６つの副画素形成部）にデータ信号Ｄｋが取り込まれる（図１、図１０参照）。ゲートドライバ１４０は、走査信号をＧａ１、Ｇａ２、Ｇａ３、Ｇａ４、…の順に１Ｈ期間の１／６の期間ずつＨレベルにすることで表示部２００における走査信号線４０を順次に活性化状態としているが、走査信号とデータ信号が対応していれば他の順番を採用してもよい。例えば、ゲートドライバ１４０が走査信号をＧａ２、Ｇａ１、Ｇａ４、Ｇａ３…の順にＨレベルとし（これにより表示部２００における走査信号線４０はそれに応じた順で活性化状態となる）、ソースドライバ１３０がデータ信号Ｄ１をＲ１２、Ｒ１１、Ｇ１２、Ｇ１１の順に印加してもよい。
【００４８】
＜１．３  効果＞
本実施形態によれば、データ信号線３０の本数が、走査信号線延伸方向の画素形成部数（ｍ）の半分、すなわちｍ／２本となる。従来の表示装置では、データ信号線が３×ｍ本必要であったので、本実施形態によればその本数を１／６にすることができる。そのため、ソースドライバ１３０の回路量が減少するので、ソースドライバ１３０のコストおよび消費電流を低減することができる。なお、走査信号線４０の本数は、従来の表示装置におけるゲートドライバの走査信号線本数の６倍となる。そのため、本実施形態におけるゲートドライバ１４０のコストは上がる。しかし、一般に、デジタル信号を出力するゲートドライバのコストは、アナログ信号を出力するソースドライバのコスト比べて低い。従って、本実施形態によれば、表示装置全体としてのコストおよび消費電流を低減することができる。
【００４９】
なお、本実施形態においても、データ信号の極性を副画素形成部水平列ごとにライン反転させることにより、従来と同様、反転駆動による表示品質の劣化を抑制することができる。
【００５０】
＜１．４  変形例＞
＜１．４．１  第１の変形例＞
次に、上記実施形態の第１の変形例について説明する。図１１（Ａ）〜図１１（Ｃ）は、本変形例に係る液晶表示装置の反転駆動方法を示す遷移図である。図１１（Ａ）、図１１（Ｂ）および図１１（Ｃ）は、それぞれ第ｎフレーム、第ｎ＋１フレームおよび第ｎ＋２フレームにおける副画素形成部Ｘｉｊに取り込まれるデータ信号の極性を示す。マトリクス中の各要素は副画素形成部Ｘｉｊに対応する。本実施形態におけるソースドライバ１３０は、各副画素形成部Ｘｉｊに取り込まれるデータ信号Ｄｋの極性を１フレーム期間毎に反転させている。また、１フレーム期間内において、走査信号線延伸方向に互いに隣接する副画素形成部に取り込まれるデータ信号の極性を互いに異ならせている。さらに、１フレーム期間内において、データ信号線延伸方向に互いに隣接する副画素形成部に取り込まれるデータ信号の極性を互いに異ならせている。例えば副画素形成部Ｇ１２に注目すると、図１１（Ａ）に示すフレームでは極性が“＋”であり、図１１（Ｂ）に示す次のフレームでは極性が“−”となり、図１１（Ｃ）に示すさらに次のフレームでは極性が“＋”となっている。また、図１１（Ａ）に示すフレームにおける副画素形成部Ｇ１２に注目すると、副画素形成部Ｇ１２に取り込まれるデータ信号の極性は“＋”であるのに対し、副画素形成部Ｇ１２と走査信号線延伸方向に隣接する副画素形成部Ｇ１１およびＧ１３に取り込まれるデータ信号Ｄｋの極性は“−”である。さらに、図１１（Ａ）に示すフレームにおける副画素形成部Ｇ１２に注目すると、副画素形成部Ｇ１２に取り込まれるデータ信号Ｄｋの極性は“＋”であるのに対し、副画素形成部Ｇ１２とデータ信号線延伸方向に隣接する副画素形成部Ｒ１２およびＢ１２に取り込まれるデータ信号Ｄｋの極性は“−”である。
【００５１】
図１２は、図１１に係る反転駆動方法を説明するためのタイミングチャートである。まず第ｎフレーム期間Ｆ（ｎ）では、データ信号Ｄ１およびＤ２の極性は、“＋、−、−、＋、＋、−、…”の順となっている。また、第ｎ＋１フレーム期間Ｆ（ｎ＋１）では、データ信号Ｄ１およびＤ２の極性は、Ｆ（ｎ）における極性を反転した“−、＋、＋、−、−、＋、…”の順となる。さらに、第ｎ＋２フレーム期間Ｆ（ｎ＋２）では、データ信号Ｄ１およびＤ２の極性は、Ｆ（ｎ＋１）における極性を反転した“＋、−、−、＋、＋、−、…”の順となる。
【００５２】
本変形例によれば、データ信号の極性をドット反転させるので、反転駆動による表示品質の劣化を、第１の実施形態に比べてさらに抑制することができる。
【００５３】
＜１．４．２  第２の変形例＞
次に、上記実施形態の第２の変形例について説明する。図１３（Ａ）〜図１３（Ｃ）は、本変形例に係る液晶表示装置の反転駆動方法を示す遷移図である。図１３（Ａ）、図１３（Ｂ）および図１３（Ｃ）は、それぞれ第ｎフレーム、第ｎ＋１フレームおよび第ｎ＋２フレームにおける副画素形成部Ｘｉｊに取り込まれるデータ信号Ｄｋの極性を示す。マトリクス中の各要素は副画素形成部Ｘｉｊに対応する。本実施形態におけるソースドライバ１３０は、各副画素形成部Ｘｉｊに取り込まれるデータ信号Ｄｋの極性を１フレーム期間毎に反転させている。また、１フレーム期間内において、データ信号線延伸方向に互いに隣接する副画素形成部に取り込まれるデータ信号の極性を互いに同一にしている。さらに、１フレーム期間内において、１つの副画素形成部垂直列３ごとに、副画素形成部に取り込まれるデータ信号の極性を反転させている。例えば副画素形成部Ｇ１２に注目すると、図１３（Ａ）に示すフレームでは極性が“−”であり、図１３（Ｂ）に示す次のフレームでは極性が“＋”となり、図１３（Ｃ）に示すさらに次のフレームでは極性が“−”となっている。また、図１３（Ａ）に示すフレームにおける副画素形成部Ｇ１２に注目すると、副画素形成部Ｇ１２に取り込まれるデータ信号の極性と、副画素形成部Ｇ１２とデータ信号線延伸方向に隣接する副画素形成部Ｒ１２およびＢ１２に取り込まれるデータ信号の極性とが“−”である。さらに、図１３（Ａ）に示すフレームにおける副画素形成部垂直列３ａに注目すると、副画素形成部垂直列３ａに取り込まれるデータ信号の極性は“＋”であり、副画素形成部垂直列３ａに隣接する副画素形成部垂直列３ｂに取り込まれるデータ信号の極性は、反転されて“−”になっており、副画素形成部垂直列３ｂに隣接する副画素形成部垂直列３ｃに取り込まれるデータ信号の極性は、また反転されて“＋”になっている。なお、本変形例では、１フレーム期間内において、取り込まれるデータ信号の極性を反転させる副画素形成部垂直列の間隔を１列ごとにしたが、２列ごとや３列ごとにしてもよい。
【００５４】
図１４は、図１３に係る反転駆動方法を説明するためのタイミングチャートである。まず第ｎフレーム期間Ｆ（ｎ）では、データ信号Ｄ１およびＤ２の極性は、“＋、−、＋、−、＋、−、…”の順となっている。また、第ｎ＋１フレーム期間Ｆ（ｎ＋１）では、データ信号Ｄ１およびＤ２の極性は、Ｆ（ｎ）における極性を反転した“−、＋、−、＋、−、＋、…”の順となる。さらに、第ｎ＋２フレーム期間Ｆ（ｎ＋２）では、データ信号Ｄ１およびＤ２の極性は、Ｆ（ｎ＋１）における極性を反転した“＋、−、＋、−、＋、−、…”の順となる。
【００５５】
本変形例によれば、データ信号の極性を副画素形成部垂直列ごとに反転させるので、反転駆動による表示品質の劣化を抑制することができる。
【００５６】
＜２．第２の実施形態＞
次に、本発明の第２の実施形態に係る液晶表示装置について説明する。本実施形態に係る液晶表示装置は、基本的には、上記第１の実施形態と同様の構成を有しているが、反転駆動の方式および走査信号Ｇａ１，Ｇａ２，…が上記第１の実施形態と異なる。そこで以下では、これらの相違点を中心に説明し、他の点に関しては、同一または対応する部分に同一の参照符号を付して詳しい説明を省略する。
【００５７】
図１５（Ａ）〜図１５（Ｃ）は、本実施形態における反転駆動方法を示す遷移図である。図１５（Ａ）、図１５（Ｂ）および図１５（Ｃ）は、それぞれ第ｎフレーム、第ｎ＋１フレームおよび第ｎ＋２フレームにおける副画素形成部Ｘｉｊに取り込まれるデータ信号Ｄｋの極性を示す。マトリクス中の各要素は副画素形成部Ｘｉｊに対応する。本実施形態におけるソースドライバ１３０は、上記第１の実施形態における第２の変形例（図１３参照）と同様、各副画素形成部Ｘｉｊに取り込まれるデータ信号Ｄｋの極性を１フレーム期間毎に反転させ、かつ、１フレーム期間内において、データ信号線延伸方向に互いに隣接する副画素形成部に取り込まれるデータ信号の極性を互いに同一にしている。しかし本実施形態では、図１３に示す上記第２の変形例とは異なり、１フレーム期間内において、同一のデータ信号線３０に接続された副画素形成部１ｘからなる２つの副画素形成部垂直列ごとに、副画素形成部に取り込まれるデータ信号の極性を反転させている。例えば、図１５（Ａ）に示すフレームにおいて、同一のデータ信号線３０に接続される副画素形成部からなる２つの副画素形成部垂直列３ａ，３ｂに注目すると、当該２つの副画素形成部垂直列３ａ，３ｂに取り込まれるデータ信号の極性は“＋”になっている。これら２つの副画素形成部垂直列３ａ，３ｂに隣接する２つの副画素形成部垂直列３ｃ，３ｄ、すなわち上記データ信号線３０に隣接するデータ信号線３０に接続された副画素形成部からなる２つの副画素形成部垂直列３ｃ，３ｄに取り込まれるデータ信号の極性は“−”になっている。また、これら２つの副画素形成部垂直列３ｃ，３ｄに隣接する２つの副画素形成部垂直列３ｅ，３ｆに取り込まれるデータ信号の極性は“＋”になっている。
【００５８】
上記の反転駆動方式では、互いに隣接するデータ信号線３０，３０に印加されるデータ信号の極性は互いに異なるが、１フレーム期間において各データ信号線３０に印加されるデータ信号Ｄｋの極性は変化しない。本実施形態では、これを前提として、各走査信号Ｇａｉ（ｉ＝１，２，…）のパルス幅（Ｈレベルとなる期間）を２倍にすることにより、各副画素形成部１ｘに含まれる画素容量Ｃｐが予備的に充電される。図１６は、この予備的な充電動作（プリチャージ動作）を説明するためのタイミングチャートである。
【００５９】
上記第１の実施形態では、図４に示すように、各走査信号Ｇａｉ（ｉ＝１，２，…）は１フレーム期間毎に１Ｈ期間の１／６の期間だけＨレベルとなる（以下、走査信号ＧａｉがＨレベルとなることでｉ番目の走査信号線４０が活性化状態となる期間を「活性化期間」という）。これに対し本実施形態では、図１６に示すように、各走査信号Ｇａｉは１フレーム期間毎に１Ｈ期間の２／６の期間だけＨレベルとなり、各走査信号Ｇａi+1がＨレベルとなる期間のうち前半期間Ｔ１は、１つ前の走査信号Ｇａｉ（配置順で１つ前の走査信号線４０に印加される走査信号Ｇａｉ）の後半期間Ｔ２と時間的に重なるように、各走査信号Ｇａ１，Ｇａ２，…がゲートドライバ１４０により生成される。
【００６０】
例えば、２番目の走査信号線４０の活性化期間（走査信号Ｇａ２のＨレベル期間）の前半期間Ｔ１は、１番目の走査信号線４０の活性化期間（走査信号Ｇａ１のＨレベル期間）の後半期間Ｔ２と時間的に重なっている。いま、この時間的に重なった期間に着目すると、当該着目期間では、１番目の走査信号線４０および２番目の走査信号線４０に接続された副画素形成部にデータ信号が取り込まれる。図１に示す構成の場合、副画素形成部Ｒ１１，Ｒ１２にデータ信号Ｄ１が取り込まれ、副画素形成部Ｒ１３，Ｒ１４にデータ信号Ｄ２が取り込まれる。図１６からわかるように、このとき、データ信号Ｄ１は副画素形成部Ｒ１１において形成すべき副画素を示しており、データ信号Ｄ２は副画素形成部Ｒ１３において形成すべき副画素を示している。このため、当該着目期間において、１番目の走査信号線４０に接続された副画素形成部Ｒ１１，Ｒ１３は、それぞれ形成すべき副画素を示すデータ信号Ｄ１，Ｄ２を取り込むが、２番目の走査信号線４０に接続された副画素形成部Ｒ１２，Ｒ１４は、それぞれ形成すべき副画素を示すデータ信号Ｄ１，Ｄ２を取り込むわけではない。
【００６１】
しかし、これらの副画素形成部Ｒ１２，Ｒ１４が当該着目期間においてそれぞれ取り込むデータ信号Ｄ１，Ｄ２の極性は、これらの副画素形成部Ｒ１２，Ｒ１４がそれぞれ形成すべき副画素を示すデータ信号の極性と同一である。したがって、２番目の走査信号線４０に接続された副画素形成部Ｒ１２，Ｒ１４に当該着目期間においてデータ信号Ｄ１，Ｄ２が取り込まれることにより、これら副画素形成部Ｒ１２，Ｒ１４の画素容量Ｃｐが予備的に充電されることになる。
【００６２】
ここで、当該着目期間は、２番目の走査信号線４０の活性化期間（走査信号Ｇａ２のＨレベル期間）における前半期間Ｔ１に相当するので、２番目の走査信号線４０に接続された副画素形成部１ｘ（Ｒ１２，Ｒ１４等）では、当該２番目の走査信号線４０の活性化期間の前半期間Ｔ１に画素容量Ｃｐが予備的に充電されることになる。これは、他の走査信号線４０に接続された副画素形成部１ｘについても同様である。なお、各副画素形成部１ｘの画素容量Ｃｐは、予備的な充電の直前には、その予備的な充電のために取り込まれるデータ信号Ｄｋの極性とは逆極性の電圧で充電されている（図１５参照）。
【００６３】
また、図１６からわかるように、各走査信号線４０の活性化期間の後半期間Ｔ２では、当該走査信号線４０に接続された各副画素形成部１ｘ（Ｘｉｊ）に当該副画素形成部１ｘが形成すべき副画素を示すデータ信号Ｄ１，Ｄ２，…が取り込まれて画素容量Ｃｐが充電される。したがって、各走査信号線４０に接続された各副画素形成部１ｘの画素容量Ｃｐは、当該走査信号線４０の活性化期間における前半期間Ｔ１において予備的に充電され、その活性化期間における後半期間Ｔ２では、当該副画素形成部１ｘが形成すべき副画素を示すデータ信号Ｄｋで充電される。そこで以下では、各走査信号線４０の活性化期間（各走査信号ＧａｉのＨレベル期間）うち前半期間Ｔ１を「予備充電期間」と呼び、後半期間Ｔ２を「本充電期間」と呼ぶものとする。
【００６４】
上記のような本実施形態では、各副画素形成部１ｘ（Ｘｉｊ）は、当該副画素形成部１ｘが形成すべき副画素を示すデータ信号Ｄｋを取り込む直前において、すなわち当該副画素形成部１ｘに接続された走査信号線４０の活性化期間の前半期間である予備充電期間Ｔ１において、当該副画素を示すデータ信号Ｄｋの極性と同極性の他の副画素（本実施形態では隣接の副画素）を示すデータ信号Ｄｋを取り込み、当該副画素形成部１ｘの画素容量Ｃｐは当該他の副画素を示すデータ信号Ｄｋで予備的に充電される。これにより、１つのデータ信号線３０に接続される副画素形成部１ｘの個数の増大による充電不足が防止される。したがって、本実施形態によれば、画素容量Ｃｐの充電不足による表示品質の低下を抑えつつ、上記第１の実施形態と同様、ソースドライバ１３０のコストおよび消費電流を低減することで、表示装置全体としてのコストおよび消費電流を低減することができる。
【００６５】
なお、本実施形態では、図１５に示す反転駆動方法を前提として、図１６に示すように、本充電期間Ｔ２の直前に１Ｈ期間の１／６の長さの予備充電期間Ｔ１が設けられているが、これに代えて、図１７に示すように、本充電期間Ｔ２の直前に１Ｈ期間の２／６の長さの予備充電期間Ｔ１が設けられる構成であってもよい（この場合も図１５に示す反転駆動方法を前提とする）。より一般的には、予備充電期間Ｔ１は、同一フレーム期間内において本充電期間Ｔ２に先行し近接する所定期間であって各データ信号Ｄｋの極性が本充電期間Ｔ２での極性と同一となる期間であればよく、図１５に示す反転駆動方法は必須の前提ではない。なお、液晶表示装置とは異なり反転駆動を行わない表示装置の場合には、データ信号の極性の同一性に関する条件は不要である。
【００６６】
＜３．その他＞
上記第１の実施形態および第２の実施形態における副画素形成部に含まれるスイッチング素子としてのＴＦＴ２０は、例えばアモルファスシリコン（ａ−Ｓｉ）を用いて作製することができる。しかし、これに代えて、ポリシリコン（ｐ−Ｓｉ）、微結晶シリコン（μＣ−Ｓｉ）、および、酸化インジウムガリウム亜鉛（ＩＧＺＯ）のうちいずれかを用いてＴＦＴ２０を作製してもよい。
【００６７】
また、上記第１の実施形態および第２の実施形態では、カラー画像を表示するアクティブマトリクス型の液晶表示装置を例に挙げて説明したが、本発明は、これに限定されるもではなく、カラー画像を表示するアクティブマトリクス型の表示装置であれば、有機ＥＬ（Electroluminescenece）表示装置等の他の種類の表示装置にも適用可能である。
【産業上の利用可能性】
【００６８】
本発明は、アクティブマトリクス型の表示パネルおよびそれを備えた表示装置に適用することができる。
【符号の説明】
【００６９】
１ｘ、Ｘｉｊ  …副画素形成部（ｘ＝ｒ，ｇ，ｂ；  Ｘ＝Ｒ，Ｇ，Ｂ）
３            …副画素形成部垂直列
４            …副画素形成部水平列
１０          …画素形成部
２０          …薄膜トランジスタ（ＴＦＴ）（スイッチング素子）
３０          …データ信号線
４０          …走査信号線
１３０        …ソースドライバ（データ信号線駆動回路）
１４０        …ゲートドライバ（走査信号線駆動回路）
２００        …表示部
３００        …液晶パネル（表示パネル）
４００        …表示制御回路
Ｃｐ          …画素容量
Ｅｐ、Ｘｉｊ  …画素電極（Ｘ＝Ｒ，Ｇ，Ｂ）
【図１】
2011152138.tif 000003
【図２】
2011152138.tif 000004
【図３】
2011152138.tif 000005
【図４】
2011152138.tif 000006
【図５】
2011152138.tif 000007
【図６】
2011152138.tif 000008
【図７】
2011152138.tif 000009
【図８】
2011152138.tif 000010
【図９】
2011152138.tif 000011
【図１０】
2011152138.tif 000012
【図１１】
2011152138.tif 000013
【図１２】
2011152138.tif 000014
【図１３】
2011152138.tif 000015
【図１４】
2011152138.tif 000016
【図１５】
2011152138.tif 000017
【図１６】
2011152138.tif 000018
【図１７】
2011152138.tif 000019
【図１８】
2011152138.tif 000020
【手続補正書】
【提出日】平成24年10月30日(2012.10.30)
【手続補正１】
【補正対象書類名】特許請求の範囲
【補正対象項目名】全文
【補正方法】変更
【補正の内容】
【特許請求の範囲】
【請求項１】
所定数の原色に基づくカラー画像を表示する表示装置であって、
第１方向に延びる複数のデータ信号線と、第２方向に延び前記複数のデータ信号線と交差する複数の走査信号線と、前記複数のデータ信号線および前記複数の走査信号線に沿ってマトリクス状に配置された複数の画素形成部とを含む表示パネルと、
前記カラー画像を表す複数のデータ信号を前記複数のデータ信号線にそれぞれ印加するためのデータ信号線駆動回路と、
前記複数の走査信号線を選択的に活性化するための走査信号線駆動回路とを備え、
各画素形成部は、前記所定数の原色をそれぞれ示す副画素を形成するための所定数の副画素形成部を前記第１方向に並べて構成され、
各データ信号線は、互いに隣接し前記第１方向に延びる２つの副画素形成部列を１組として前記複数の画素形成部における副画素形成部を組分けすることにより得られる複数組の副画素形成部列のいずれか１つと対応し、かつ、対応する組を構成する２つの副画素形成部列の間に配置され、かつ、当該２つの副画素形成部列に含まれる各副画素形成部に接続され、
前記第２方向に延びる各副画素形成部列は、隣り合う２つの走査信号線を１組として前記複数の走査信号線を組分けすることにより得られる複数組の走査信号線のいずれか１つと対応し、かつ、対応する組を構成する２つの走査信号線の間に配置され、
前記複数組の走査信号線の各組を構成する２つの走査信号線の一方は、当該組に対応する副画素形成部列に含まれる副画素形成部のうち同一データ信号線に接続される２つの副画素形成部の一方に接続され、当該２つの走査信号線の他方は、当該２つの副画素形成部の他方に接続され、
各副画素形成部は、当該副画素形成部に接続された走査信号線が活性化されているときに、当該副画素形成部に接続されたデータ信号線に印加されたデータ信号を取り込み、
前記データ信号線駆動回路は、
各副画素形成部に取り込まれるデータ信号の極性を１フレーム期間毎に反転させ、
１フレーム期間内において、前記第２方向に延びる所定数の副画素形成部列のそれぞれに対応する組を構成する２つの走査信号線が活性化されるたびに各データ信号線に印加するデータ信号の極性を反転させることにより、前記第２方向に互いに隣接する副画素形成部に取り込まれるデータ信号の極性を互いに同一にし、かつ、前記第２方向に延びる所定数の副画素形成部列ごとに、前記副画素形成部に取り込まれるデータ信号の極性を反転させることを特徴とする、表示装置。
【請求項２】
所定数の原色に基づくカラー画像を表示する表示装置であって、
第１方向に延びる複数のデータ信号線と、第２方向に延び前記複数のデータ信号線と交差する複数の走査信号線と、前記複数のデータ信号線および前記複数の走査信号線に沿ってマトリクス状に配置された複数の画素形成部とを含む表示パネルと、
前記カラー画像を表す複数のデータ信号を前記複数のデータ信号線にそれぞれ印加するためのデータ信号線駆動回路と、
前記複数の走査信号線を選択的に活性化するための走査信号線駆動回路とを備え、
各画素形成部は、前記所定数の原色をそれぞれ示す副画素を形成するための所定数の副画素形成部を前記第１方向に並べて構成され、
各データ信号線は、互いに隣接し前記第１方向に延びる２つの副画素形成部列を１組として前記複数の画素形成部における副画素形成部を組分けすることにより得られる複数組の副画素形成部列のいずれか１つと対応し、かつ、対応する組を構成する２つの副画素形成部列の間に配置され、かつ、当該２つの副画素形成部列に含まれる各副画素形成部に接続され、
前記第２方向に延びる各副画素形成部列は、隣り合う２つの走査信号線を１組として前記複数の走査信号線を組分けすることにより得られる複数組の走査信号線のいずれか１つと対応し、かつ、対応する組を構成する２つの走査信号線の間に配置され、
前記複数組の走査信号線の各組を構成する２つの走査信号線の一方は、当該組に対応する副画素形成部列に含まれる副画素形成部のうち同一データ信号線に接続される２つの副画素形成部の一方に接続され、当該２つの走査信号線の他方は、当該２つの副画素形成部の他方に接続され、
各副画素形成部は、当該副画素形成部に接続された走査信号線が活性化されているときに、当該副画素形成部に接続されたデータ信号線に印加されたデータ信号を取り込み、
前記データ信号線駆動回路は、
各副画素形成部に取り込まれるデータ信号の極性を１フレーム期間毎に反転させ、
１フレーム期間内において、いずれか１つの走査信号線が活性化されるたびに各データ信号線に印加するデータ信号の極性を反転させることにより、前記第１方向に互いに隣接する副画素形成部に取り込まれるデータ信号の極性を互いに同一にし、かつ、前記第１方向に延びる１つの副画素形成部列ごとに、前記副画素形成部に取り込まれるデータ信号の極性を反転させることを特徴とする、表示装置。
【請求項３】
前記カラー画像は３原色に基づくものであり、
各画素形成部は、前記３原色にそれぞれ対応する３つの副画素を形成するための３つの副画素形成部を前記第１方向に並べて構成されていることを特徴とする、請求項１または２に記載の表示装置。
【請求項４】
前記データ信号線駆動回路および前記走査信号線駆動回路のうち少なくとも一方は、前記表示パネル上に前記複数の画素形成部と一体的に形成されていることを特徴とする、請求項１または２に記載の表示装置。
【請求項５】
各副画素形成部は、当該副画素形成部に接続された走査信号線が活性化されているか否かに応じてオン状態またはオフ状態となるスイッチング素子を含み、
前記スイッチング素子は、アモルファスシリコンで形成された薄膜トランジスタであることを特徴とする、請求項１または２に記載の表示装置。
【請求項６】
各副画素形成部は、当該副画素形成部に接続された走査信号線が活性化されているか否かに応じてオン状態またはオフ状態となるスイッチング素子を含み、
前記スイッチング素子は、ポリシリコンで形成された薄膜トランジスタであることを特徴とする、請求項１または２に記載の表示装置。
【請求項７】
各副画素形成部は、当該副画素形成部に接続された走査信号線が活性化されているか否かに応じてオン状態またはオフ状態となるスイッチング素子を含み、
前記スイッチング素子は、微結晶シリコンで形成された薄膜トランジスタであることを特徴とする、請求項１または２に記載の表示装置。
【請求項８】
各副画素形成部は、当該副画素形成部に接続された走査信号線が活性化されているか否かに応じてオン状態またはオフ状態となるスイッチング素子を含み、
前記スイッチング素子は、酸化インジウムガリウム亜鉛で形成された薄膜トランジスタであることを特徴とする、請求項１または２に記載の表示装置。
【請求項９】
第１方向に延びる複数のデータ信号線と、第２方向に延び前記複数のデータ信号線と交差する複数の走査信号線と、前記複数のデータ信号線および前記複数の走査信号線に沿ってマトリクス状に配置された複数の画素形成部とを含む表示パネルを備え、所定数の原色に基づくカラー画像を表示する表示装置の駆動方法であって、
前記カラー画像を表す複数のデータ信号を前記複数のデータ信号線にそれぞれ印加するデータ信号線駆動ステップと、
前記複数の走査信号線を選択的に活性化する走査信号線駆動ステップとを備え、
各画素形成部は、前記所定数の原色をそれぞれ示す副画素を形成するための所定数の副画素形成部を前記第１方向に並べて構成され、
各データ信号線は、互いに隣接し前記第１方向に延びる２つの副画素形成部列を１組として前記複数の画素形成部における副画素形成部を組分けすることにより得られる複数組の副画素形成部列のいずれか１つと対応し、かつ、対応する組を構成する２つの副画素形成部列の間に配置され、かつ、当該２つの副画素形成部列に含まれる各副画素形成部に接続され、
前記第２方向に延びる各副画素形成部列は、隣り合う２つの走査信号線を１組として前記複数の走査信号線を組分けすることにより得られる複数組の走査信号線のいずれか１つと対応し、かつ、対応する組を構成する２つの走査信号線の間に配置され、
前記複数組の走査信号線の各組を構成する２つの走査信号線の一方は、当該組に対応する副画素形成部列に含まれる副画素形成部のうち同一データ信号線に接続される２つの副画素形成部の一方に接続され、当該２つの走査信号線の他方は、当該２つの副画素形成部の他方に接続され、
各副画素形成部は、当該副画素形成部に接続された走査信号線が活性化されているときに、当該副画素形成部に接続されたデータ信号線に印加されたデータ信号を取り込み、
前記データ信号線駆動ステップは、
各副画素形成部に取り込まれるデータ信号の極性を１フレーム期間毎に反転させるステップと、
１フレーム期間内において、前記第２方向に延びる所定数の副画素形成部列のそれぞれに対応する組を構成する２つの走査信号線が活性化されるたびに各データ信号線に印加するデータ信号の極性を反転させることにより、前記第２方向に互いに隣接する副画素形成部に取り込まれるデータ信号の極性を互いに同一にし、かつ、前記第２方向に延びる所定数の副画素形成部列ごとに、前記副画素形成部に取り込まれるデータ信号の極性を反転させるステップとを含むことを特徴とする、駆動方法。
【請求項１０】
第１方向に延びる複数のデータ信号線と、第２方向に延び前記複数のデータ信号線と交差する複数の走査信号線と、前記複数のデータ信号線および前記複数の走査信号線に沿ってマトリクス状に配置された複数の画素形成部とを含む表示パネルを備え、所定数の原色に基づくカラー画像を表示する表示装置の駆動方法であって、
前記カラー画像を表す複数のデータ信号を前記複数のデータ信号線にそれぞれ印加するデータ信号線駆動ステップと、
前記複数の走査信号線を選択的に活性化する走査信号線駆動ステップとを備え、
各画素形成部は、前記所定数の原色をそれぞれ示す副画素を形成するための所定数の副画素形成部を前記第１方向に並べて構成され、
各データ信号線は、互いに隣接し前記第１方向に延びる２つの副画素形成部列を１組として前記複数の画素形成部における副画素形成部を組分けすることにより得られる複数組の副画素形成部列のいずれか１つと対応し、かつ、対応する組を構成する２つの副画素形成部列の間に配置され、かつ、当該２つの副画素形成部列に含まれる各副画素形成部に接続され、
前記第２方向に延びる各副画素形成部列は、隣り合う２つの走査信号線を１組として前記複数の走査信号線を組分けすることにより得られる複数組の走査信号線のいずれか１つと対応し、かつ、対応する組を構成する２つの走査信号線の間に配置され、
前記複数組の走査信号線の各組を構成する２つの走査信号線の一方は、当該組に対応する副画素形成部列に含まれる副画素形成部のうち同一データ信号線に接続される２つの副画素形成部の一方に接続され、当該２つの走査信号線の他方は、当該２つの副画素形成部の他方に接続され、
各副画素形成部は、当該副画素形成部に接続された走査信号線が活性化されているときに、当該副画素形成部に接続されたデータ信号線に印加されたデータ信号を取り込み、
前記走査信号線駆動ステップでは、前記複数の走査信号線が順次に活性化され、
前記データ信号線駆動ステップでは、各データ信号線に対し、対応する２つの副画素形成部列の一方に含まれる副画素形成部が形成すべき副画素を示すデータ信号と、当該対応する２つの副画素形成部列の他方に含まれる副画素形成部が形成すべき副画素を示すデータ信号とが、前記複数の走査信号線の活性化に連動して交互に印加され、
前記データ信号線駆動ステップは、
各副画素形成部に取り込まれるデータ信号の極性を１フレーム期間毎に反転させるステップと、
１フレーム期間内において、いずれか１つの走査信号線が活性化されるたびに各データ信号線に印加するデータ信号の極性を反転させることにより、前記第１方向に互いに隣接する副画素形成部に取り込まれるデータ信号の極性を互いに同一にし、かつ、前記第１方向に延びる１つの副画素形成部列ごとに、前記副画素形成部に取り込まれるデータ信号の極性を反転させるステップとを含むことを特徴とする、駆動方法。
【請求項１１】
前記走査信号線駆動ステップでは、前記複数の走査信号線が順次に活性化され、
前記データ信号線駆動ステップでは、各データ信号線に対し、対応する２つの副画素形成部列の一方に含まれる副画素形成部が形成すべき副画素を示すデータ信号と、当該対応する２つの副画素形成部列の他方に含まれる副画素形成部が形成すべき副画素を示すデータ信号とが、前記複数の走査信号線の活性化に連動して交互に印加されることを特徴とする、請求項９または１０に記載の駆動方法。
【手続補正２】
【補正対象書類名】明細書
【補正対象項目名】０００４
【補正方法】変更
【補正の内容】
【０００４】
図１８に示すように、一般に、アクティブマトリクス型の表示装置は、データ信号線駆動回路および走査信号線駆動回路を備える。データ信号線駆動回路は、走査信号線駆動回路に比べて回路量が多い。そのため、データ信号線駆動回路のコストは、走査信号線駆動回路のものに比べて高い。データ信号線の本数が増えるとさらに回路量が増えるため、データ信号線駆動回路のコストがさらに高くなると同時に消費電流が大きくなる。すなわち、データ信号線の本数が増えると、表示装置全体のコストおよび消費電流の増大を招く。このデータ信号線の本数は、画素形成部数に比例して増えるため、表示装置の大型化が進む近年においては、上記の問題は深刻なものとなる。
【手続補正３】
【補正対象書類名】明細書
【補正対象項目名】０００９
【補正方法】変更
【補正の内容】
【０００９】
本発明の第１の局面は、所定数の原色に基づくカラー画像を表示する表示装置であって、第１方向に延びる複数のデータ信号線と、第２方向に延び前記複数のデータ信号線と交差する複数の走査信号線と、前記複数のデータ信号線および前記複数の走査信号線に沿ってマトリクス状に配置された複数の画素形成部とを含む表示パネルと、
前記カラー画像を表す複数のデータ信号を前記複数のデータ信号線にそれぞれ印加するためのデータ信号線駆動回路と、
前記複数の走査信号線を選択的に活性化するための走査信号線駆動回路とを備え、
各画素形成部は、前記所定数の原色をそれぞれ示す副画素を形成するための所定数の副画素形成部を前記第１方向に並べて構成され、
各データ信号線は、互いに隣接し前記第１方向に延びる２つの副画素形成部列を１組として前記複数の画素形成部における副画素形成部を組分けすることにより得られる複数組の副画素形成部列のいずれか１つと対応し、かつ、対応する組を構成する２つの副画素形成部列の間に配置され、かつ、当該２つの副画素形成部列に含まれる各副画素形成部に接続され、
前記第２方向に延びる各副画素形成部列は、隣り合う２つの走査信号線を１組として前記複数の走査信号線を組分けすることにより得られる複数組の走査信号線のいずれか１つと対応し、かつ、対応する組を構成する２つの走査信号線の間に配置され、
前記複数組の走査信号線の各組を構成する２つの走査信号線の一方は、当該組に対応する副画素形成部列に含まれる副画素形成部のうち同一データ信号線に接続される２つの副画素形成部の一方に接続され、当該２つの走査信号線の他方は、当該２つの副画素形成部の他方に接続され、
各副画素形成部は、当該副画素形成部に接続された走査信号線が活性化されているときに、当該副画素形成部に接続されたデータ信号線に印加されたデータ信号を取り込み、
前記データ信号線駆動回路は、
各副画素形成部に取り込まれるデータ信号の極性を１フレーム期間毎に反転させ、
１フレーム期間内において、前記第２方向に延びる所定数の副画素形成部列のそれぞれに対応する組を構成する２つの走査信号線が活性化されるたびに各データ信号線に印加するデータ信号の極性を反転させることにより、前記第２方向に互いに隣接する副画素形成部に取り込まれるデータ信号の極性を互いに同一にし、かつ、前記第２方向に延びる所定数の副画素形成部列ごとに、前記副画素形成部に取り込まれるデータ信号の極性を反転させることを特徴とする。
【手続補正４】
【補正対象書類名】明細書
【補正対象項目名】００１０
【補正方法】変更
【補正の内容】
【００１０】
本発明の第２の局面は、所定数の原色に基づくカラー画像を表示する表示装置であって、第１方向に延びる複数のデータ信号線と、第２方向に延び前記複数のデータ信号線と交差する複数の走査信号線と、前記複数のデータ信号線および前記複数の走査信号線に沿ってマトリクス状に配置された複数の画素形成部とを含む表示パネルと、
前記カラー画像を表す複数のデータ信号を前記複数のデータ信号線にそれぞれ印加するためのデータ信号線駆動回路と、
前記複数の走査信号線を選択的に活性化するための走査信号線駆動回路とを備え、
各画素形成部は、前記所定数の原色をそれぞれ示す副画素を形成するための所定数の副画素形成部を前記第１方向に並べて構成され、
各データ信号線は、互いに隣接し前記第１方向に延びる２つの副画素形成部列を１組として前記複数の画素形成部における副画素形成部を組分けすることにより得られる複数組の副画素形成部列のいずれか１つと対応し、かつ、対応する組を構成する２つの副画素形成部列の間に配置され、かつ、当該２つの副画素形成部列に含まれる各副画素形成部に接続され、
前記第２方向に延びる各副画素形成部列は、隣り合う２つの走査信号線を１組として前記複数の走査信号線を組分けすることにより得られる複数組の走査信号線のいずれか１つと対応し、かつ、対応する組を構成する２つの走査信号線の間に配置され、
前記複数組の走査信号線の各組を構成する２つの走査信号線の一方は、当該組に対応する副画素形成部列に含まれる副画素形成部のうち同一データ信号線に接続される２つの副画素形成部の一方に接続され、当該２つの走査信号線の他方は、当該２つの副画素形成部の他方に接続され、
各副画素形成部は、当該副画素形成部に接続された走査信号線が活性化されているときに、当該副画素形成部に接続されたデータ信号線に印加されたデータ信号を取り込み、
前記データ信号線駆動回路は、
各副画素形成部に取り込まれるデータ信号の極性を１フレーム期間毎に反転させ、
１フレーム期間内において、いずれか１つの走査信号線が活性化されるたびに各データ信号線に印加するデータ信号の極性を反転させることにより、前記第１方向に互いに隣接する副画素形成部に取り込まれるデータ信号の極性を互いに同一にし、かつ、前記第１方向に延びる１つの副画素形成部列ごとに、前記副画素形成部に取り込まれるデータ信号の極性を反転させることを特徴とする。
【手続補正５】
【補正対象書類名】明細書
【補正対象項目名】００１１
【補正方法】変更
【補正の内容】
【００１１】
本発明の第３の局面は、本発明の第１の局面または第２の局面において、
前記カラー画像は３原色に基づくものであり、
各画素形成部は、前記３原色にそれぞれ対応する３つの副画素を形成するための３つの副画素形成部を前記第１方向に並べて構成されていることを特徴とする。
【手続補正６】
【補正対象書類名】明細書
【補正対象項目名】００１２
【補正方法】変更
【補正の内容】
【００１２】
本発明の第４の局面は、本発明の第１の局面または第２の局面において、
前記データ信号線駆動回路および前記走査信号線駆動回路のうち少なくとも一方は、前記表示パネル上に前記複数の画素形成部と一体的に形成されていることを特徴とする。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】変更
【補正の内容】
【００１７】
本発明の第５の局面は、本発明の第１の局面または第２の局面において、
各副画素形成部は、当該副画素形成部に接続された走査信号線が活性化されているか否かに応じてオン状態またはオフ状態となるスイッチング素子を含み、
前記スイッチング素子は、アモルファスシリコンで形成された薄膜トランジスタであることを特徴とする。
【手続補正１２】
【補正対象書類名】明細書
【補正対象項目名】００１８
【補正方法】変更
【補正の内容】
【００１８】
本発明の第６の局面は、本発明の第１の局面または第２の局面において、
各副画素形成部は、当該副画素形成部に接続された走査信号線が活性化されているか否かに応じてオン状態またはオフ状態となるスイッチング素子を含み、
前記スイッチング素子は、ポリシリコンで形成された薄膜トランジスタであることを特徴とする。
【手続補正１３】
【補正対象書類名】明細書
【補正対象項目名】００１９
【補正方法】変更
【補正の内容】
【００１９】
本発明の第７の局面は、本発明の第１の局面または第２の局面において、
各副画素形成部は、当該副画素形成部に接続された走査信号線が活性化されているか否かに応じてオン状態またはオフ状態となるスイッチング素子を含み、
前記スイッチング素子は、微結晶シリコンで形成された薄膜トランジスタであることを特徴とする。
【手続補正１４】
【補正対象書類名】明細書
【補正対象項目名】００２０
【補正方法】変更
【補正の内容】
【００２０】
本発明の第８の局面は、本発明の第１の局面または第２の局面において、
各副画素形成部は、当該副画素形成部に接続された走査信号線が活性化されているか否かに応じてオン状態またはオフ状態となるスイッチング素子を含み、
前記スイッチング素子は、酸化インジウムガリウム亜鉛で形成された薄膜トランジスタであることを特徴とする。
【手続補正１５】
【補正対象書類名】明細書
【補正対象項目名】００２１
【補正方法】変更
【補正の内容】
【００２１】
本発明の第９の局面は、第１方向に延びる複数のデータ信号線と、第２方向に延び前記複数のデータ信号線と交差する複数の走査信号線と、前記複数のデータ信号線および前記複数の走査信号線に沿ってマトリクス状に配置された複数の画素形成部とを含む表示パネルを備え、所定数の原色に基づくカラー画像を表示する表示装置の駆動方法であって、
前記カラー画像を表す複数のデータ信号を前記複数のデータ信号線にそれぞれ印加するデータ信号線駆動ステップと、
前記複数の走査信号線を選択的に活性化する走査信号線駆動ステップとを備え、
各画素形成部は、前記所定数の原色をそれぞれ示す副画素を形成するための所定数の副画素形成部を前記第１方向に並べて構成され、
各データ信号線は、互いに隣接し前記第１方向に延びる２つの副画素形成部列を１組として前記複数の画素形成部における副画素形成部を組分けすることにより得られる複数組の副画素形成部列のいずれか１つと対応し、かつ、対応する組を構成する２つの副画素形成部列の間に配置され、かつ、当該２つの副画素形成部列に含まれる各副画素形成部に接続され、
前記第２方向に延びる各副画素形成部列は、隣り合う２つの走査信号線を１組として前記複数の走査信号線を組分けすることにより得られる複数組の走査信号線のいずれか１つと対応し、かつ、対応する組を構成する２つの走査信号線の間に配置され、
前記複数組の走査信号線の各組を構成する２つの走査信号線の一方は、当該組に対応する副画素形成部列に含まれる副画素形成部のうち同一データ信号線に接続される２つの副画素形成部の一方に接続され、当該２つの走査信号線の他方は、当該２つの副画素形成部の他方に接続され、
各副画素形成部は、当該副画素形成部に接続された走査信号線が活性化されているときに、当該副画素形成部に接続されたデータ信号線に印加されたデータ信号を取り込み、
前記データ信号線駆動ステップは、
各副画素形成部に取り込まれるデータ信号の極性を１フレーム期間毎に反転させるステップと、
１フレーム期間内において、前記第２方向に延びる所定数の副画素形成部列のそれぞれに対応する組を構成する２つの走査信号線が活性化されるたびに各データ信号線に印加するデータ信号の極性を反転させることにより、前記第２方向に互いに隣接する副画素形成部に取り込まれるデータ信号の極性を互いに同一にし、かつ、前記第２方向に延びる所定数の副画素形成部列ごとに、前記副画素形成部に取り込まれるデータ信号の極性を反転させるステップとを含むことを特徴とする。
【手続補正１６】
【補正対象書類名】明細書
【補正対象項目名】００２２
【補正方法】変更
【補正の内容】
【００２２】
本発明の第１０の局面は、第１方向に延びる複数のデータ信号線と、第２方向に延び前記複数のデータ信号線と交差する複数の走査信号線と、前記複数のデータ信号線および前記複数の走査信号線に沿ってマトリクス状に配置された複数の画素形成部とを含む表示パネルを備え、所定数の原色に基づくカラー画像を表示する表示装置の駆動方法であって、
前記カラー画像を表す複数のデータ信号を前記複数のデータ信号線にそれぞれ印加するデータ信号線駆動ステップと、
前記複数の走査信号線を選択的に活性化する走査信号線駆動ステップとを備え、
各画素形成部は、前記所定数の原色をそれぞれ示す副画素を形成するための所定数の副画素形成部を前記第１方向に並べて構成され、
各データ信号線は、互いに隣接し前記第１方向に延びる２つの副画素形成部列を１組として前記複数の画素形成部における副画素形成部を組分けすることにより得られる複数組の副画素形成部列のいずれか１つと対応し、かつ、対応する組を構成する２つの副画素形成部列の間に配置され、かつ、当該２つの副画素形成部列に含まれる各副画素形成部に接続され、
前記第２方向に延びる各副画素形成部列は、隣り合う２つの走査信号線を１組として前記複数の走査信号線を組分けすることにより得られる複数組の走査信号線のいずれか１つと対応し、かつ、対応する組を構成する２つの走査信号線の間に配置され、
前記複数組の走査信号線の各組を構成する２つの走査信号線の一方は、当該組に対応する副画素形成部列に含まれる副画素形成部のうち同一データ信号線に接続される２つの副画素形成部の一方に接続され、当該２つの走査信号線の他方は、当該２つの副画素形成部の他方に接続され、
各副画素形成部は、当該副画素形成部に接続された走査信号線が活性化されているときに、当該副画素形成部に接続されたデータ信号線に印加されたデータ信号を取り込み、
前記走査信号線駆動ステップでは、前記複数の走査信号線が順次に活性化され、
前記データ信号線駆動ステップでは、各データ信号線に対し、対応する２つの副画素形成部列の一方に含まれる副画素形成部が形成すべき副画素を示すデータ信号と、当該対応する２つの副画素形成部列の他方に含まれる副画素形成部が形成すべき副画素を示すデータ信号とが、前記複数の走査信号線の活性化に連動して交互に印加され、
前記データ信号線駆動ステップは、
各副画素形成部に取り込まれるデータ信号の極性を１フレーム期間毎に反転させるステップと、
１フレーム期間内において、いずれか１つの走査信号線が活性化されるたびに各データ信号線に印加するデータ信号の極性を反転させることにより、前記第１方向に互いに隣接する副画素形成部に取り込まれるデータ信号の極性を互いに同一にし、かつ、前記第１方向に延びる１つの副画素形成部列ごとに、前記副画素形成部に取り込まれるデータ信号の極性を反転させるステップとを含むことを特徴とする。
【手続補正１７】
【補正対象書類名】明細書
【補正対象項目名】００２３
【補正方法】変更
【補正の内容】
【００２３】
本発明の第１１の局面は、本発明の第９の局面または第１０の局面において、
前記走査信号線駆動ステップでは、前記複数の走査信号線が順次に活性化され、
前記データ信号線駆動ステップでは、各データ信号線に対し、対応する２つの副画素形成部列の一方に含まれる副画素形成部が形成すべき副画素を示すデータ信号と、当該対応する２つの副画素形成部列の他方に含まれる副画素形成部が形成すべき副画素を示すデータ信号とが、前記複数の走査信号線の活性化に連動して交互に印加されることを特徴とする。
【手続補正１８】
【補正対象書類名】明細書
【補正対象項目名】００２４
【補正方法】変更
【補正の内容】
【００２４】
本発明の第１局面、第２の局面、第５の局面から第１１の局面までのいずれによっても、データ信号線の本数が、第２方向である走査信号線延伸方向の画素形成部数よりも少なくなる。これにより、データ信号線駆動回路の回路量が減少するので、データ信号線駆動回路のコストおよび消費電流を低減することができる。そのため、表示装置全体のコストおよび消費電流を低減することができる。また、本発明の第１の局面または第９の局面によれば、１フレーム期間内において各副画素形成部に取り込まれるデータ信号の極性を第２方向である走査信号線延伸方向に延びる所定数の副画素形成部列ごとに反転させるライン反転が行われる。これにより、液晶表示装置のような反転駆動が必要な表示装置において、表示品質の劣化を抑制することができる。また、本発明の第２の局面または第１０の局面によれば、１フレーム期間内において各副画素形成部に取り込まれるデータ信号の極性を第１方向であるデータ信号線延伸方向に延びる１つの副画素形成部列ごとに反転させるカラム反転が行われる。これにより、液晶表示装置のような反転駆動が必要な表示装置において、表示品質の劣化を抑制することができる。
【手続補正１９】
【補正対象書類名】明細書
【補正対象項目名】００２５
【補正方法】変更
【補正の内容】
【００２５】
本発明の第３の局面によれば、各画素形成部は、３原色を構成するそれぞれ異なる色成分を示す副画素を形成するための３つの副画素形成部を第１方向であるデータ信号線延伸方向に並べて構成される。これにより、広く普及している３原色に基づくカラー画像表示においてこのような構成を採用することで、表示装置のコストをさらに低減しつつ、本発明の第１の局面または第２の局面と同様の効果を奏することができる。
【手続補正２０】
【補正対象書類名】明細書
【補正対象項目名】００２６
【補正方法】変更
【補正の内容】
【００２６】
本発明の第４の局面によれば、データ信号線駆動回路と走査信号線駆動回路とのうち少なくとも１つと、複数の画素形成部とが、表示パネル上に一体的に形成される。これにより、額縁面積を低減しつつ、本発明の第１の局面または第２の局面と同様の効果を奏することができる。
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３３
【補正方法】変更
【補正の内容】
【００３３】
以下、添付図面を参照しながら、本発明の実施形態について説明する。
＜１．第１の実施形態＞
＜１．１  全体の構成＞
図１は、本発明の第１の実施形態に係る液晶表示装置の電気的構成を示す模式図である。この液晶表示装置は、表示パネルとしての液晶パネル３００と、データ信号線駆動回路としてのソースドライバ１３０と、走査信号線駆動回路としてのゲートドライバ１４０とを備えている。ソースドライバ１３０とゲートドライバ１４０とは、表示制御回路４００に接続されている。表示制御回路４００には、カラー画像を表示するための画像信号ＤＶおよびタイミング制御信号ＴＳが装置外部から入力される。液晶パネル３００には、ソースドライバ１３０に接続された複数のデータ信号線３０とゲートドライバ１４０に接続された複数の走査信号線４０とが含まれている。複数のデータ信号線３０と複数の走査信号線４０とは交差して配置されている。また、液晶パネル３００には、複数のデータ信号線３０と複数の走査信号線４０とに沿ってマトリクス状に配置された複数の画素形成部１０が含まれている。本実施形態では、図５に示すように、液晶パネル３００に含まれる当該複数の画素形成部１０と上記複数のデータ信号線３０と上記複数の走査信号線４０とにより表示部２００が実現されており、ソースドライバ１３０およびゲートドライバ１４０は、液晶パネル３００とは別部品であるＩＣ（Integrated Circuit）として実現されている。しかし、この図５に示す構成に代えて、液晶パネル３００を所謂ドライバモノリシック型のパネルとしてもよい。すなわち、図６に示すように、液晶パネル３００上に表示部２００とゲートドライバ１４０とを薄膜トランジスタ等を用いて一体的に形成してもよい。さらに、図７に示すように、液晶パネル３００上に表示部２００とソースドライバ１３０とを薄膜トランジスタ等を用いて一体的に形成してもよい。さらにまた、図８に示すように、液晶パネル３００上に表示部２００とゲートドライバ１４０とソースドライバ１３０とを薄膜トランジスタ等を用いて一体的に形成してもよい。
【手続補正２７】
【補正対象書類名】明細書
【補正対象項目名】００４６
【補正方法】変更
【補正の内容】
【００４６】
図１０は、図９に係る反転駆動方法を説明するためのタイミングチャートである。まず第ｎフレーム期間Ｆ（ｎ）では、データ信号Ｄ１およびＤ２の極性は、“＋、＋、−、−、＋、＋、…”の順となっている。また、第ｎ＋１フレーム期間Ｆ（ｎ＋１）では、データ信号Ｄ１およびＤ２の極性は、Ｆ（ｎ）における極性を反転した“−、−、＋、＋、−、−、…”の順となる。さらに、第ｎ＋２フレーム期間Ｆ（ｎ＋２）では、データ信号Ｄ１およびＤ２の極性は、Ｆ（ｎ＋１）における極性を反転した“＋、＋、−、−、＋、＋、…”の順となる。
【手続補正２８】
【補正対象書類名】明細書
【補正対象項目名】００６７
【補正方法】変更
【補正の内容】
【００６７】
また、上記第１の実施形態および第２の実施形態では、カラー画像を表示するアクティブマトリクス型の液晶表示装置を例に挙げて説明したが、本発明は、これに限定されるもではなく、カラー画像を表示するアクティブマトリクス型の表示装置であれば、有機ＥＬ（Electroluminescence）表示装置等の他の種類の表示装置にも適用可能である。
【国際調査報告】
2011152138.tif 000021
2011152138.tif 000022
2011152138.tif 000023
2011152138.tif 000024